(57)【要約】【課題】煮こぼれや水滴が、操作軸を伝って燃料ガスの通流量を調節するガスバルブ（調節バルブ）に流下することを抑制、防止することが可能で、点消火つまみを押し操作するときの操作感が損なわれることのないガスコンロを提供する。【解決手段】操作軸２１は、その外周面２１ａに密着・固定され、天板１２の貫通孔１２ａの下方に位置し、バルブカバー３３の挿通孔３３ａの上方を覆う態様で配設された、弾性材料からなるパッキン２２を備え、かつ、パッキンの下面には、（ａ）点消火つまみ２５が押し操作されず、操作軸が降下しない状態ではバルブカバーと離間し、（ｂ）点消火つまみが押し操作され、操作軸が降下した状態ではバルブカバーと当接してバルブカバーの挿通孔を覆うように構成された立ち下がり筒部２３が配設されている構成とする。【選択図】図３
2020016401.tif 000002
【特許請求の範囲】
【請求項１】
上面が開口したコンロ本体と、
下記点消火つまみを支持する操作軸が挿通される貫通孔を備え、前記コンロ本体の上面の開口を覆うように配設された天板と、
前記天板上に配設された点消火つまみと、
前記コンロ本体内に収容されたガスバーナ、前記ガスバーナへの燃料ガスの通流量を調節するガスバルブ、および、前記操作軸を挿通させる挿通孔を備え、前記ガスバルブを覆うバルブカバーと、を備え、
前記操作軸は、前記天板の前記貫通孔および前記バルブカバーの前記挿通孔を経て前記ガスバルブに接続されている上面操作式のガスコンロであって、
前記操作軸は、その外周面に密着・固定され、前記天板の前記貫通孔の下方に位置し、前記バルブカバーの前記挿通孔の上方を覆う態様で配設された、弾性材料からなるパッキンを備えており、
前記パッキンの下面には、（ａ）前記点消火つまみが押し操作されず、前記操作軸が降下しない状態では前記バルブカバーと離間し、（ｂ）前記点消火つまみが押し操作され、前記操作軸が降下した状態では前記バルブカバーと当接して前記バルブカバーの前記挿通孔を覆うように構成された立ち下がり筒部が配設されていること
を特徴とするガスコンロ。
【請求項２】
前記パッキンの前記立ち下がり筒部の内周面と、前記操作軸の外周面とは、平面視同心円を形成するように構成されており、
前記立ち下がり筒部の前記内周面と、前記操作軸の前記外周面の間に形成される隙間の、前記同心円の径方向の寸法が、０．５ｍｍ以下となるように構成されていること
を特徴とする請求項１記載のガスコンロ。
【請求項３】
前記パッキンは、平面視で前記立ち下がり筒部よりも外側に突出した庇部を備えており、
前記庇部の下端は、前記点消火つまみが押し操作されず前記操作軸が降下しない状態、および、前記点消火つまみが押し操作され前記操作軸が降下した状態のいずれの場合にも、前記バルブカバーと当接しないように構成されていること
を特徴とする請求項１または２記載のガスコンロ。
【発明の詳細な説明】
【技術分野】
【０００１】
本発明は、ガスコンロに関し、詳しくは、コンロバーナの点消火を行う押し回し式の点消火装置を備えたガスコンロに関する。
【背景技術】
【０００２】
例えば、ガスコンロの中には、天板上の操作つまみ（点消火つまみ）を押し回すことによりコンロバーナの点消火を行うように構成されたガスコンロがある。  
【０００３】
そして、そのようなガスコンロの１つに、特許文献１に記載されているようなガスコンロがある。
【０００４】
この特許文献１のガスコンロにおいては、天板上の操作つまみ（点消火つまみ）と、下方の調節バルブ（燃料ガスの供給量を調節するバルブ）とが、天板の貫通孔に通したシャフト（操作軸）によって接続されている。
【０００５】
また、調節バルブの上方を覆うバルブカバーにはシャフトの挿通孔が設けられており、シャフトには、弾性材料から形成され、中央部が上方に向かって突出した凸形のパッキンが天板とバルブカバーとの間に装着されている。
【０００６】
そして、押し下げられた操作つまみ（点消火つまみ）とともにパッキンが回転すると、パッキンの外縁の一部に設けた剥離部がバルブカバーの上面の突出部に乗り上げることで、パッキンの下端とバルブカバーの上面との間に通気路が確保されるように構成されている。
【０００７】
特許文献１のガスコンロは、このような構成を備えているので、押し下げられて変形していたパッキンが戻る際に通気路を通って空気が流入するので（すなわち、パッキンの内部と外部の間の気密が破られるので）、バルブカバーの上面の煮こぼれ汁を吸い込むことが抑制、防止される。
【０００８】
その結果、パッキンとバルブカバーとの隙間を小さくすることができ、ガスコンロを薄型化を図ることが可能になるとされている。
【先行技術文献】
【特許文献】
【０００９】
【特許文献１】特開２０１７−００９１６０号公報
【発明の概要】
【発明が解決しようとする課題】
【００１０】
しかしながら、特許文献１に記載のガスコンロの場合、上述の構成によりパッキンの内部の気密が破られ、パッキンの下端とバルブカバーの上面との間に通気路が確保されるが、この通気路を経由して、万一、煮こぼれや水滴がパッキンとバルブカバーとの間に形成される空間に浸入した場合、操作つまみ（点消火つまみ）を押し下げられて、シャフトが降下することでパッキンが押し下げられ、パッキンとバルブカバーとの間に形成される空間に侵入した煮こぼれや水（水滴）が、シャフトとバルブカバーに設けられたシャフトの挿通孔との間を通って、バルブカバーの下方に流下することが考えられる。
【００１１】
このようにして浸入した煮こぼれや水がバルブカバーの下方に流下した場合、浸入した煮こぼれや水が、そのままシャフトを伝って流下することになる。
【００１２】
このようにして浸入した煮こぼれや水が、そのままシャフトを伝って流下した場合、浸入した煮こぼれや水が、シャフトと調節バルブとの接続箇所に付着することになる。
【００１３】
そして、シャフトと調節バルブとの接続箇所に煮こぼれや水滴が付着した後、時間が経過すると、シャフトと調節バルブとが固着することが考えられる。
【００１４】
シャフトと調節バルブとが固着すると、天板上の操作つまみ（点消火つまみ）を操作してシャフトを回動させる場合に、シャフトの回動に要するトルクが大きくなり、操作つまみ（点消火つまみ）の操作感を損なってしまうという問題点がある。
【００１５】
本発明は、上記の課題を解決するものであり、点消火つまみの操作軸（シャフト）に装着されたパッキンとバルブカバーとの間に煮こぼれや水滴が侵入した場合にも、煮こぼれや水滴が、操作軸を伝って燃料ガスの通流量を調節するガスバルブ（調節バルブ）に流下することを抑制、防止することが可能で、点消火つまみを押し操作するときの操作感が損なわれることのないガスコンロを提供することを目的とする。
【課題を解決するための手段】
【００１６】
上記の目的を達成するために、本発明のガスコンロは、
上面が開口したコンロ本体と、
下記点消火つまみを支持する操作軸が挿通される貫通孔を備え、前記コンロ本体の上面の開口を覆うように配設された天板と、
前記天板上に配設された点消火つまみと、
前記コンロ本体内に収容されたガスバーナ、前記ガスバーナへの燃料ガスの通流量を調節するガスバルブ、および、前記操作軸を挿通させる挿通孔を備え、前記ガスバルブを覆うバルブカバーと、を備え、
前記操作軸は、前記天板の前記貫通孔および前記バルブカバーの前記挿通孔を経て前記ガスバルブに接続されている上面操作式のガスコンロであって、
前記操作軸は、その外周面に密着・固定され、前記天板の前記貫通孔の下方に位置し、前記バルブカバーの前記挿通孔の上方を覆う態様で配設された、弾性材料からなるパッキンを備えており、
前記パッキンの下面には、（ａ）前記点消火つまみが押し操作されず、前記操作軸が降下しない状態では前記バルブカバーと離間し、（ｂ）前記点消火つまみが押し操作され、前記操作軸が降下した状態では前記バルブカバーと当接して前記バルブカバーの前記挿通孔を覆うように構成された立ち下がり筒部が配設されていること
を特徴としている。
【００１７】
本発明のガスコンロにおいては、
前記パッキンの前記立ち下がり筒部の内周面と、前記操作軸の外周面とは、平面視同心円を形成するように構成されており、
前記立ち下がり筒部の前記内周面と、前記操作軸の前記外周面の間に形成される隙間の、前記同心円の径方向の寸法が、０．５ｍｍ以下となるように構成されていること
が好ましい。
【００１８】
また、前記パッキンは、平面視で前記立ち下がり筒部よりも外側に突出した庇部を備えており、
前記庇部の下端は、前記点消火つまみが押し操作されず前記操作軸が降下しない状態、および、前記点消火つまみが押し操作され前記操作軸が降下した状態のいずれの場合にも、前記バルブカバーと当接しないように構成されていること
が好ましい。
【発明の効果】
【００１９】
本発明のガスコンロは上述のように構成されており、天板の貫通孔の下方に位置し、操作軸（シャフト）の外周面に密着・固定され、バルブカバーの挿通孔の上方を覆うパッキンには、（ａ）点消火つまみが押し操作されず、操作軸が降下しない状態ではバルブカバーと離間し、（ｂ）点消火つまみが押し操作され、操作軸が降下した状態ではバルブカバーと当接してバルブカバーの挿通孔を覆うように構成された立ち下がり筒部が配設されているので、点消火つまみにおける操作軸（シャフト）に装着されたパッキンとバルブカバーとの間に煮こぼれや水滴が侵入した場合において、点消火つまみが押し下げられ、操作軸が降下したときにも、侵入した煮こぼれや水滴が、操作軸とバルブカバーに設けられた操作軸の挿通孔との間を通って、操作軸を伝って、バルブカバーのガスバルブに流下することが抑制され、点消火つまみを押し操作するときの操作感が損なわれることを防止することができる。
【００２０】
また、パッキンの立ち下がり筒部の内周面と、操作軸の外周面とは、平面視同心円を形成するように構成され、立ち下がり筒部の内周面と、操作軸の外周面の間に形成される隙間の、同心円の径方向の寸法が、０．５ｍｍ以下となるように構成されている場合、パッキンの立ち下がり筒部の内周面と、操作軸の外周面との間に形成される空間（隙間）が小さくなり、それに対応して、該空間に溜まる煮こぼれや水滴の量を少なくすることが可能になる。したがって、操作軸を伝って煮こぼれや水滴がガスバルブに流下するおそれを、さらに確実に低減することが可能になる。
【００２１】
また、パッキンが、平面視で立ち下がり筒部よりも外側に突出した庇部を備えかつ、庇部の下端が、点消火つまみが押し操作されず操作軸が降下しない状態、および、点消火つまみが押し操作され操作軸が降下した状態のいずれの場合にも、バルブカバーと当接しないように構成されている場合、庇部により天板の貫通孔から侵入した煮こぼれや水滴が、パッキンの立ち下がり筒部とバルブカバーの挿通孔の近傍に落下することが抑制、防止されるため、パッキンの立ち下がり筒部の内周面と、操作軸の外周面との間からバルブカバーの挿通孔を経てガスバルブに流下するおそれをさらに確実に低減することが可能になるとともに、点消火つまみを押し操作した場合にも庇部の下端がバルブカバーと当接しないため、庇部とバルブカバーとによって密閉された空間が形成されることがなく、庇部とバルブカバーとによって形成される空間に溜まった煮こぼれや水滴が、上記空間が加圧状態になることで、ガスバルブ内に流下することを防止することが可能になり、本発明をより実効あらしめることができる。
【図面の簡単な説明】
【００２２】
【図１】本発明の一実施形態にかかるガスコンロの外観構成を示す斜視図である。
【図２】本発明の一実施形態にかかるガスコンロの点消火つまみが押し操作されていないときの、点消火つまみの周辺の要部断面図である。
【図３】本発明の一実施形態にかかるガスコンロの点消火つまみが押し操作されたときの、点消火つまみの周辺の要部断面図である。
【発明を実施するための形態】
【００２３】
以下、本発明の実施形態を示して、本発明の特徴とするところをさらに詳しく説明する。
【００２４】
［実施形態］
図１は、本発明の実施形態にかかるガスコンロＡの外観構成を示す斜視図である。
【００２５】
このガスコンロＡは、図１に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００２６】
そして、このガスコンロＡは、コンロ本体２０と、コンロ本体２０の上面の開口を覆う天板１２とを備えている。
【００２７】
本実施形態にかかるガスコンロＡが備える３つのコンロバーナ１０はいずれもブンゼン式のガスバーナであり、２つのコンロバーナ１０ａ、１０ｂは、天板１２の前方側の左右に、天板１２から上方にバーナヘッドが露出するような態様で配設され、残りの１つのコンロバーナ１０ｃは、天板１２の後方に配設されている。なお、各コンロバーナ１０（１０ａ、１０ｂ、１０ｃ）は、それぞれ天板１２から上方にバーナヘッドが露出するような態様で配設されている。
【００２８】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２９】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出することができるように構成されている。
【００３０】
また、天板１２の手前側の左右には三つのコンロバーナ１０（１０ａ、１０ｂ、１０ｃ）用の点火や消火、炎調節のための回転操作式（押し回し式）の操作部である点消火つまみ２５（２５ａ，２５ｂ、２５ｃ）が配置されている。
【００３１】
なお、このガスコンロＡは魚などを調理するグリルを備えていないが、天板の奥側には三つのブンゼン式のコンロバーナ１０（１０ａ、１０ｂ、１０ｃ）に一次空気を供給するための吸気口１７を備えており、この吸気口の上方は、吸気孔カバー体１６によって覆われている。
【００３２】
上述のように、本実施形態にかかるガスコンロＡは、コンロ本体２０の上面を覆う天板１２上に、コンロバーナ１０（１０ａ、１０ｂ、１０ｃ）の点消火を行う押し回し式の点消火つまみ２５（２５ａ，２５ｂ、２５ｃ）が配設された構造を有する上面操作式のガスコンロである。
【００３３】
本実施形態にかかるガスコンロＡにおいては、天板１２を貫通する貫通孔１２ａに、点消火つまみ２５を支持する操作軸２１が挿通されている（図２、図３参照）。
【００３４】
なお、操作軸２１は、ガスバルブ３０の機構部３１を収容するガスバルブ本体（ケース）３２（図２、図３）と連結されており、点消火つまみ２５を押し回し操作することで、ガスバルブ３０が開弁して、当該点消火つまみ２５に対応するコンロバーナ１０に燃料ガスが供給されるように構成されている。
【００３５】
なお、このような押し回し操作式のガスバルブの構成は周知であることから、本明細書では詳細な説明を省略する。
【００３６】
＜本実施形態にかかるガスコンロの特徴的構成＞
本実施形態にかかるガスコンロＡは、ガスバルブ本体３２の上方を覆うバルブカバー３３を備えており、バルブカバー３３には、操作軸２１を挿通させる挿通孔３３ａが設けられている。
【００３７】
また、ガスバルブ３０の機構部３１を収容するガスバルブ本体３２にも、操作軸２１を挿通させるための挿通孔であるバルブ本体側挿通孔３２ａが設けられている。
【００３８】
すなわち、操作軸２１は、天板１２の貫通孔１２ａ、バルブカバー３３に設けた挿通孔３３ａ、および、バルブ本体側挿通孔３２ａを経て、ガスバルブ３０の機構部３１に接続されている。
【００３９】
そして、操作軸２１には、図２、図３に示すように、合成ゴム製のパッキン２２が、操作軸２１の外周面に密着・固定された状態で装着されている。
【００４０】
パッキン２２は、天板１２の貫通孔１２ａの下方に位置するとともに、バルブカバー３３に設けられた挿通孔３３ａの上方を覆う態様で配設されている。
【００４１】
パッキン２２の下面には、操作軸２１の外周側に位置する形態で、下方に向かって突出した立ち下がり筒部２３が設けられている。
【００４２】
そして、立ち下がり筒部２３は、点消火つまみ２５が押し操作されず、操作軸２１が降下しない状態では、バルブカバー３３の上面と離間するように構成されている（図２参照）。
【００４３】
また、立ち下がり筒部２３は、点消火つまみ２５が押し操作され、操作軸２１が降下した状態では、バルブカバー３３の上面と当接してバルブカバー３３の挿通孔３３ａを覆うように構成されている（図３参照）。
【００４４】
すなわち、点消火つまみ２５が押し操作され、操作軸２１が降下した状態では、立ち下がり筒部２３の外側領域と、バルブカバー３３の挿通孔３３ａが存在する、立ち下がり筒部２３の内側領域とが連通しないように構成されている。
【００４５】
因みに、図２は、点消火つまみ２５が押し操作されておらず、立ち下がり筒部２３（の下端）がバルブカバー３３と離間している状態を示し、図３は、点消火つまみ２５が押し操作されて、立ち下がり筒部２３（の下端）がバルブカバー３３と当接して、バルブカバー３３に設けられた、操作軸２１が挿通される挿通孔３３ａを覆っている状態（すなわち、立ち下がり筒部２３の外側領域と、バルブカバー３３の挿通孔３３ａが存在する、立ち下がり筒部２３の内側領域とが連通していない状態）を示している。
【００４６】
また、パッキン２２の立ち下がり筒部２３は、その内周面２３ａと、操作軸２１の外周面２１ａとが平面視同心円を形成するように構成されており、立ち下がり筒部２３の内周面２３ａと、操作軸２１の外周面２１ａの間に形成される隙間Ｇの寸法、すなわち、隙間Ｇの上記同心円の径方向の寸法Ｘ（図２、図３参照）が、０．５ｍｍ以下となるように構成されている。
つまり、筒部２３の内周面２３ａと操作軸２１の外周面２１ａの間に形成される隙間Ｇの容積が大きくなり過ぎないように、上述の構成とされている。
【００４７】
また、本実施形態にかかるガスコンロＡにおいては、パッキン２２が、平面視で立ち下がり筒部２３よりも外側に突出した庇部２４を備えている。
【００４８】
そして、庇部２４の下端２４ａは、点消火つまみ２５が押し操作されず、操作軸２１が降下しない状態、および、点消火つまみ２５が押し操作され、操作軸２１が降下した状態のいずれの状態においても、バルブカバー３３と当接しないように構成されている。
【００４９】
本実施形態にかかるガスコンロＡは、上述のように構成されているので、点消火つまみ２５における操作軸２１に装着されたパッキン２２とバルブカバー３３との間に煮こぼれや水滴が侵入した場合に、操作ツマミ２５が押し操作され、操作軸２１が降下したときにも、侵入した煮こぼれや水滴が操作軸２１と、バルブカバー３３に設けられた挿通孔３３ａの間から、バルブカバーの下方に流下することが抑制される。
【００５０】
その結果、侵入した煮こぼれや水滴が、操作軸２１を伝って、ガスバルブ本体３２内の機構部３１に流下することが抑制され、点消火つまみ２５を押し操作するときの操作感が損なわれるようなことのない、使い勝手の良好なガスコンロを実現することができる。
【００５１】
また、パッキン２２の立ち下がり筒部２３の内周面２３ａと、操作軸２１の外周面２１ａとの間の隙間Ｇの寸法（すなわち、隙間Ｇの径方向の寸法Ｘ（図２、図３参照））が、０．５ｍｍ以下となるように（つまり、筒部２３の内周面２３ａと、操作軸２１の外周面２１ａの間に大きな隙間Ｇが形成されないように）構成されているので、該隙間Ｇに侵入しうる煮こぼれや水滴の量が少なくなり、煮こぼれや水滴が操作軸２１と、バルブカバー３３に設けられた挿通孔３３ａとの隙間を通って、バルブカバーの下方に流下することをより確実に抑制することが可能になる。
【００５２】
また、パッキン２２は、平面視で立ち下がり筒部２３よりも外側に突出した庇部２４を備え、庇部２４の下端２４ａは、点消火つまみ２５が押し操作されていない場合はもちろん、点消火つまみ２５が押し操作された場合にも、バルブカバー３３と当接しないように構成されているので、庇部２４により煮こぼれや水滴が、バルブカバー３３の挿通孔３３ａ近傍に流下することが抑制されるとともに、庇部２４とバルブカバー３３との間に密閉空間が形成されることがないため、密閉空間が形成される場合には懸念される、当該密閉空間が加圧状態になることにより煮こぼれや水滴が操作軸２１とバルブカバー３３に設けられた挿通孔３３ａとの間からバルブカバーの下方に流下すること、をより確実に抑制することが可能になる。
【００５３】
なお、隙間Ｇの寸法Ｘを規定した構成、および、パッキンが上述の庇部を備えるようにした構成は、本発明の必須の要件ではなく、場合によっては、これらの構成を省略した構成とすることも可能である。
【００５４】
本発明は、上記実施形態に限定されるものではなく、本発明の範囲内において種々の変形を加えることが可能である。
【符号の説明】
【００５５】
Ａ      ガスコンロ
１０（１０ａ、１０ｂ、１０ｃ）    コンロバーナ
１２    天板
１２ａ  天板に形成された貫通孔
１３    五徳
１４    温度センサ
１７    吸気口
１６    吸気口カバー体
２０    コンロ本体
２１    操作軸
２１ａ  操作軸の外周面  
２２    パッキン
２３    立ち下がり筒部
２３ａ  立ち下がり筒部の内周面
２４    庇部
２４ａ  庇部の下端
２５（２５ａ、２５ｂ、２５ｃ）    点消火つまみ
３０    ガスバルブ
３１    ガスバルブの機構部
３２    ガスバルブ本体（ケース）
３２ａ  バルブ本体側挿通孔
３３    バルブカバー
３３ａ  バルブカバーの挿通孔
Ｇ      立ち下がり筒部の内周面と操作軸の外周面の間に形成される隙間      Ｘ      隙間の寸法
【図１】
2020016401.tif 000003
【図２】
2020016401.tif 000004
【図３】
2020016401.tif 000005